(57)【要約】【課題】  従来、車室内を照明する手段としては定位置に設置された車内灯が一般的であるが、バッテリから専用配線を介して光源用の電力を導き、操作用のスイッチを設けるなど、専用部品とその配置用スペースなどが必要であることに鑑み、車室内の省スペース化を図ることができる、カーオーディオパネルを用いた照明装置を得ること。【解決手段】  カーオーディオの基板９に設けられた車室内照明用の光源１３と、前記光源１３から出射された光を車室内に導く光導体手段１５を有することとし、前記光源１３はユニット化された光源手段１２の一部であり、この光源手段１２は前記基板９に対して着脱可能とした。【選択図】        図７
2006312420.tif 000002
【特許請求の範囲】
【請求項１】
カーオーディオの基板に設けられた車室内照明用の光源と、
前記光源から出射された光を車室内に導く光導体手段とを備えたカーオーディオパネルを用いた照明装置。
【請求項２】
光源はユニット化された光源手段の一部であり、この光源手段は基板に対して着脱可能であることを特徴とする請求項１記載のカーオーディオパネルを用いた照明装置。
【請求項３】
光導体手段がプリズムであることを特徴とする請求項１又は２記載のカーオーディオパネルを用いた照明装置。
【発明の詳細な説明】
【技術分野】
【０００１】
この発明は、カーオーディオを利用して車室内を照明する照明手段であって、カーオーディオパネルを用いた照明装置に関する。
【背景技術】
【０００２】
従来、車室内を照明する手段としては定位置に設置された車内灯が一般的であるが、バッテリから専用配線を介して光源用の電力を導き、操作用のスイッチを設けるなど、専用部品とその配置用スペースなどが必要である。また、設置場所をユーザーが自由に変更することができる照明装置もあるが、電源ケーブルが露出するなど見栄えが悪く、また露出した電源ケーブルに引っかかるおそれがあるなど安全性に問題があった。
【０００３】
一方、フロントエスカッションの文字照明用の光源を導く導光体が防塵ドアの下方に露出されて配置された車載用音響機器等の防塵ドア照明装置がある（例えば、特許文献１参照）。しかし、かかる特許文献に開示された技術は、車載用音響機器等の防塵ドアを照明するものであり、車室内を照明するものではない。
【０００４】
【特許文献１】実開昭６２−５７９９６号公報
【発明の開示】
【発明が解決しようとする課題】
【０００５】
従来の車室内照明用の装置は車室内に専用の照明灯などの部品を固定設置するため一定量の配置スペースが必要であり、省スペース化を進める上で障害がある。また、露出した電線ケーブルを介して照明灯を発光させるタイプでは、電線ケーブルが引っかかるなど安全面で課題があった。
【０００６】
この発明は上記のような課題を解決するためになされたもので、車室内の省スペース化を図ることができる、カーオーディオパネルを用いた照明装置を得ることを目的とする。
【課題を解決するための手段】
【０００７】
この発明に係るカーオーディオパネルを用いた照明装置は、カーオーディオの基板に設けられた車室内照明用の光源と、前記光源から出射された光を車室内に導く光導体手段を備えたものである。
【発明の効果】
【０００８】
この発明によれば、カーオーディオの基板を利用してこれに車室内照明用の光源を設けたので、光源のための専用の基板や給電用のケーブルを引き回すなどの必要が無く、省スペース化を図ることができる。
【発明を実施するための最良の形態】
【０００９】
以下、この発明の実施の形態を図面に基づいて説明する。なお、同一部材及び同一機能のものについては同一符号で表している。
実施の形態１.
図１において、車室内の前部であって運転席１の前方にはステアリングホイール２、助手席３の前方にはグローブボックス４がそれぞれ在り、フロントパネル５上であってステアリングホイール２とグローブボックス４の中間位置にカーオーディオの操作パネル５が位置している。図４にも示すように操作パネル５にはオーディオ操作用の各種ボタン、スイッチ等が配列されている。
【００１０】
図２にも示すように、操作パネル５はセンターパネル６で覆われている。センターパネル６と略対向する部位にはシフトノブ７が位置し、このシフトノブ７のレバー基端部にはシフト表示部８がある。このシフト表示部８は図３に示すように前進変速ギヤ位置やバックギヤ位置などを表示している。
【００１１】
操作パネル５の内部構造を図５に示す。図５において、スイッチ装置用基板９には操作用スイッチ１０及び文字照明用の光源１１が配列されている。本実施の形態ではスイッチ装置基板９上にユニット化された光源手段１２を着脱可能に配置している。光源手段１２は、図６に示されるようにホルダ１４に光源１３を保持した構成からなり、ホルダの下面部には着脱可能な取り付け具として対向する２本の爪部材１４ａ、位置決めピン１４ｂ等が設けられている。
【００１２】
スイッチ装置用基板９には爪部材１４ａ挿入用の矩形開口１４Ａと位置決め凸部１４ｂ挿入用の位置決め穴１４Ｂが形成されていて、これら爪部材１４ａや位置決め凸部１４ｂをそれぞれ上記矩形開口１４Ａや上記位置決め穴１４Ｂに挿入することにより光源手段１２の取り付け位置が定められる。ここで、爪部材１４ａは可撓性を有する対向する一対の部材からなるので、これを矩形開口１４Ａに押し込むことで撓み、該矩形開口１４Ａを通過後は撓みが原状に復することにより爪が引っかかり取り付け状態が保持される。分解するときは爪部材１４ａに外力を作用させて撓ませ、上記と逆の動作により矩形開口１４Ａから引き抜くことができる。このように、着脱可能とすることで光源１３の色をオプションで好みの色のものに交換したり、メンテナンスの便に供することができる。
【００１３】
光源手段１２をスイッチ装置用基板９に設置する構成により、スイッチ装置用基板９に用いる電源の共有が容易に可能となる。例えば、スイッチ装置用基板９に予め電源供給用の端子を設けておき、光源手段１２を装着すると自動的に光源手段１２の端子が前記電源供給用端子と結合される構成とすることができる。こうして、スイッチ装置用基板９より電源を供給されることにより光源１３は発光する。
【００１４】
図５、図７に示すように、光源１３の前方には光導体手段としての、透過性樹脂等からなるプリズム１５が配置されている。光源１３から出射された光Ｌはプリズム１５の端部１５ａより入射しプリズム１５によってプリズム端部１５ｂへ導光、端部１５ｂより拡散されて、センターパネル６に開けられた開口からなる露光部６ａより外部へ出射する。
【００１５】
図８に示すように、露光部６ａより出た光Ｌはシフトノブ７や表示部８をスポット的に照らす。さらに、こうして照らされた光がシフト表示部８付近で乱反射することで、車室内は間接照明される。間接照明による光はやわらかで運転者の運転の邪魔にならず、高級感のある車内照明を演出することができる。
【００１６】
実施の形態２.
実施の形態２では、図７に示した形状に比べてプリズムの形状を変化させ、図９に示すように光源１３からの光Ｌを２つに分岐させて進むようにした。つまり、光Ｌは光Ｌ１と光Ｌ２とに分岐して進む。このようにすることで、図１、図１０に示すように、運転席１の足元１６および助手席３の足元１７を同時に照明することができる。
【００１７】
実施の形態３．
実施の形態３では、図７、図９に示したプリズムの形状に比べてプリズム１５０の形状を変え、図１１に示すように光源１３からの光Ｌの光路がより鉛直方向に近い角度で出射されるようにした。このようにすることで、図１２に示すように露光部６ａからの光Ｌは灰皿や小物入れなどの容器１８の内部を照明することができ、これまでのように室内灯で車室内全体を明るく照らすことなく、灰皿や小物入れなどについてその用に供することができる。
【００１８】
以上各実施の形態に示したように、スイッチ装置用基板に間接照明用の光源１３を設けたことにより、スイッチ装置用基板に別途照明装置用基板を設けたり、その照明装置用基板を保持する筐体を必要とせず、また、カーオーディオ用のスイッチ用基板と車室内の間接照明用光源を同一基板に設けたことにより、該基板上のパターンを介して照明用の光源１３へ電源供給が可能となるので、スイッチ装置と照明装置とを別装置とした場合に必要となる電源供給用ケーブルが不要であり、省スペース化や低コスト化を実現することが可能となる。
それに加えて、スイッチ装置とこの発明の照明装置とを別体化しないため全体の構造の複雑を回避して単純になり、車への組み付け作業が簡便化する。
【００１９】
また、実施の形態では、カーオーディオの操作パネル基板に車室内照明用の光源を設けているので、カーオーディオの操作、例えば音楽再生や再生などの停止に連動させて光源を点灯、消灯若しくは点滅させるという演出についても容易に行なうことができる。例えば、カーオーディオのパネル上の文字照明ランプの点灯と連動して点灯するようにすることで、夜間の照明タイミングを自動化することができる。光源としては発光ダイオードをはじめ、種々のものを適用することができる。
以上のように、この発明は、カーオーディオの操作パネルに間接照明用の照明装置を組み込んだことにより省スペース、低コストにて車室内に高級感を持たせたり、演出を行なうなどが可能な間接照明の実現が可能となる。光導体手段としては、プリズムの他に、ミラーを組み合わせたり、光ファイバーを用いることもできる。
【図面の簡単な説明】
【００２０】
【図１】車室内の前方部を示した斜視図である。
【図２】センターパネルとシフトノブの要部を示した斜視図である。
【図３】表示部を説明した平面図である。
【図４】操作パネルの外観斜視図である。
【図５】スイッチ操作用基板の外観斜視図である。
【図６】光源手段及びその着脱可能な取り付け構造を説明した斜視図である。
【図７】光が屈折する様子を示したセンターパネル６の断面図である。
【図８】照明装置の光が表示部近傍を照明している状態を示した斜視図である。
【図９】プリズムにより光路が分岐する様子を説明した図である。
【図１０】運転席と助手席の各足元を照明する様子を例示した図である。
【図１１】光が屈折する様子を示したセンターパネル６の断面図である。
【図１２】小物入れを照明する様子を例示した図である。
【００２１】
９  スイッチ装置用基板、１３  光源、１５，１５０  プリズム。
【図１】
2006312420.tif 000003
【図２】
2006312420.tif 000004
【図３】
2006312420.tif 000005
【図４】
2006312420.tif 000006
【図５】
2006312420.tif 000007
【図６】
2006312420.tif 000008
【図７】
2006312420.tif 000009
【図８】
2006312420.tif 000010
【図９】
2006312420.tif 000011
【図１０】
2006312420.tif 000012
【図１１】
2006312420.tif 000013
【図１２】
2006312420.tif 000014